(57)【要約】【課題】１台の端末機で連続して複数のマルチメディアメッセージを発信する場合、各メッセージが正しく受信端末機に届いたことを表す転送確認メッセージに、各発信メッセージに対する情報を含ませる移動通信端末機のＭＭＳ処理方法を提供する。【解決手段】複数のマルチメディアメッセージを作成し、これらを移動通信網を通じて該当の端末機に転送する第１段階と、転送が完了すると発信メッセージに対応する転送確認データが発信端末機に受信され、発信された複数のメッセージの中から受信された転送確認データにより受信が確認された発信マルチメディアメッセージを検索する第２段階と、検索された発信メッセージの発信時刻または題目を外部に出力する第３段階とを備えてなり、一つの端末機で複数のマルチメディアメッセージを転送する際にもユーザが各発信メッセージの転送状態をそれぞれ確認することができるので、使い勝手のよさを向上させることができる。【選択図】図５
2006191609.tif 000002
【特許請求の範囲】
【請求項１】
複数のマルチメディアメッセージ転送情報が格納されたメモリと、
マルチメディアメッセージサービスサーバーから提供されるマルチメディアメッセージ転送結果情報を受信し、これを、前記メモリに格納されたマルチメディアメッセージ転送情報と比較し、その結果による制御信号を出力する制御部と、
前記制御部から提供された制御信号によって、マルチメディアメッセージ転送結果情報をユーザが認識できるように表示する出力部と、
を備えてなる移動通信端末機。
【請求項２】
前記出力部は、前記マルチメディアメッセージ転送結果情報をユーザが肉眼で確認できるように、文字及び／またはイメージの形態で表示するディスプレイ部であることを特徴とする請求項１に記載の移動通信端末機。
【請求項３】
前記ディスプレイ部を介して表示される情報は、発信メッセージの発信時刻及びメッセージの題目を含むことを特徴とする請求項２に記載の移動通信端末機。
【請求項４】
前記出力部は、前記マルチメディアメッセージ転送結果情報を可聴音で表示するオーディオ出力部であることを特徴とする請求項１に記載の移動通信端末機。
【請求項５】
移動通信網を通じてマルチメディアメッセージを送信し、複数のマルチメディアメッセージ転送情報を格納する移動通信端末機と、該移動通信端末機から転送されたマルチメディアメッセージが効率的に伝達されるようにする無線アプリケーションプロトコルゲートウエイ（Ｗｉｒｅｌｅｓｓ  Ａｐｐｌｉｃａｔｉｏｎ  Ｐｒｏｔｏｃｏｌ  Ｇａｔｅｗａｙ）と、前記マルチメディアメッセージが各移動通信端末機間で送受信されるように処理するマルチメディアメッセージサービスセンター（Ｍｕｌｔｉｍｅｄｉａ  Ｍｅｓｓａｇｅ  Ｓｅｒｖｉｃｅ  Ｃｅｎｔｅｒ：ＭＭＳＣ）と、を備えてなるマルチメディアメッセージサービスネットワークにおいて、
前記移動通信端末機が前記マルチメディアメッセージサービスセンターから受信した転送確認メッセージに含まれた転送メッセージＩＤを、該端末機内に格納されている転送情報と比較して、一致するメッセージＩＤのマルチメディアメッセージ転送結果情報をユーザが認識できるように表示することを特徴とするマルチメディアメッセージサービスネットワーク。
【請求項６】
短文メッセージピアツーピア（Ｓｈｏｒｔ  Ｍｅｓｓａｇｅ  Ｐｅｅｒ  ｔｏ  Ｐｅｅｒ）プロトコルを通じて短文メッセージサービス（Ｓｈｏｒｔ  Ｍｅｓｓａｇｅ  Ｓｅｒｖｉｃｅ）とマルチメディアメッセージサービス（Ｍｕｌｔｉｍｅｄｉａ  Ｍｅｓｓａｇｅ  Ｓｅｒｖｉｃｅ）を互換連動させ、マルチメディアメッセージサービス過程で発生する種々の情報を前記移動通信端末機に伝達する短文メッセージサービスセンター（Ｓｈｏｒｔ  Ｍｅｓｓａｇｅ  Ｓｅｒｖｉｃｅ  Ｃｅｎｔｅｒ：ＳＭＳＣ）と、
前記マルチメディアメッセージサービスセンターで処理されたマルチメディアメッセージを電子メール（Ｅ−ｍａｉｌ）の形態で移動通信端末機に提供するメールサーバー（Ｍａｉｌ  Ｓｅｒｖｅｒ）と、
をさらに備えることを特徴とする請求項５に記載のマルチメディアメッセージサービスネットワーク。
【請求項７】
マルチメディアメッセージの発信後、マルチメディアメッセージサービスサーバーから転送確認メッセージを受信し、各発信メッセージの転送状態情報を各マルチメディアメッセージごとにユーザに提供することを特徴とする移動通信端末機のマルチメディアメッセージ処理方法。
【請求項８】
前記発信メッセージ転送状態情報は、ディスプレイ装置により提供されることを特徴とする請求項７に記載の移動通信端末機のマルチメディアメッセージ処理方法。
【請求項９】
前記発信メッセージ転送状態情報は、オーディオ出力部により提供されることを特徴とする請求項７に記載の移動通信端末機のマルチメディアメッセージ処理方法。
【請求項１０】
移動通信網を通じてマルチメディアメッセージを転送する過程と、
転送されたマルチメディアメッセージのＩＤが含まれた転送情報を端末機内部に設けられたメモリに格納する過程と、
マルチメディアメッセージ転送確認メッセージを受信する過程と、
受信されたマルチメディアメッセージ転送確認メッセージに含まれた転送情報と前記メモリに格納された情報とを比較する過程と、
比較結果を出力する過程と、
を備えてなる移動通信端末機のマルチメディアメッセージ処理方法。
【請求項１１】
前記比較過程は、前記転送確認メッセージ内に含まれた発信メッセージのメッセージＩＤを読み出し、該読み出されたメッセージＩＤと一致するメッセージを、前記発信端末機に格納された複数の発信メッセージから検索することを特徴とする請求項１０に記載の移動通信端末機のマルチメディアメッセージ処理方法。
【請求項１２】
前記比較結果を出力する過程は、一致するメッセージＩＤがある場合、発信者が肉眼で確認できるように発信メッセージの発信時刻及びメッセージの題目を含めてディスプレイ表示することを特徴とする請求項１１に記載の移動通信端末機のマルチメディアメッセージ処理方法。
【請求項１３】
前記比較結果を出力する過程は、発信者が認識できるようにマルチメディアメッセージ転送結果情報を可聴音として出力することを特徴とする請求項１０に記載の移動通信端末機のマルチメディアメッセージ処理方法。
【請求項１４】
前記比較結果を出力する過程は、一致するメッセージＩＤがある場合、発信メッセージの発信時刻及びメッセージの題目を可聴音として出力することを特徴とする請求項１３に記載の移動通信端末機のマルチメディアメッセージ処理方法。
【発明の詳細な説明】
【技術分野】
【０００１】
本発明は、移動通信端末機のマルチメディアメッセージ処理方法に係り、特に、１台の端末機で連続して複数のマルチメディアメッセージを発信する場合、各メッセージが正しく受信端末機に届いたことを表す転送確認メッセージに、各発信メッセージに対する情報を含ませる移動通信端末機のマルチメディアメッセージ処理方法に関する。
【背景技術】
【０００２】
マルチメディアメッセージングサービス（Ｍｕｌｔｉｍｅｄｉａ  Ｍｅｓｓａｇｉｎｇ  Ｓｅｒｖｉｃｅ：以下、‘ＭＭＳ’という。）は、３ＧＰＰ（３ｒｄ  Ｇｅｎｅｒａｔｉｏｎ  Ｐａｒｔｎｅｒｓｈｉｐ  Ｐｒｏｊｅｃｔ）が第３世代無線インターネット環境で個人対個人間のマルチメディアメッセージ伝達を支援するために制定した無線メールシステム形態の無線データ通信方法である。これは、既存の音声メッセージまたは短文メッセージサービス（Ｓｈｏｒｔ  Ｍｅｓｓａｇｅ  Ｓｅｒｖｉｃｅ）のような文字メッセージ中心の制限されたサービスから脱皮して、イメージ、グラフィック、動映像などのマルチメディアデータを取り込むことができるサービスである。
【０００３】
３ＧＰＰによれば、ＭＭＳは、有無線ネットワークに拡張されたマルチメディアメッセージサービスを提供するために、受信側がネットワークに接続しているか否かにかかわらず、マルチメディアメッセージ（Ｍｕｌｔｉｍｅｄｉａ  Ｍｅｓｓａｇｅ：以下、‘ＭＭ’とする）を送信し、このように送信されたマルチメディアメッセージを臨時的に格納した後に伝達（Ｓｔｏｒｅ  ａｎｄ  Ｆｏｒｗａｒｄ）する非実時間（ｎｏｎ  ｒｅａｌ−ｔｉｍｅ）マルチメディアメッセージサービスを行う。したがって、ＭＭを送信するためには、送信端末機がまずＭＭＳサーバーにメッセージを転送し、送信端末機またはＭＭＳサーバーは、転送されたマルチメディアメッセージが受信端末機にそれ以上ダウンロードされないようにするメッセージ有効期間を当該受信端末機に提供する。
【０００４】
また、上記のようなマルチメディアメッセージの送受信動作において、ＭＭが成功的に転送されたか否か、ＭＭが受信端末機のユーザにより拒絶されたか否か、受信端末機のユーザがメールボックス内でＭＭの到着に関する通知を受信し、その後該ＭＭをダウンロードできるか否か、受信端末機のユーザがＭＭを認識できたか否かなど、各状態は、発信端末機の転送状態メッセージに対する要求に応じて該発信端末機に伝達される。
【０００５】
図１は、従来技術に係るマルチメディアメッセージサービス概念を示す例示図である。図１に示すように、発信端末機１のユーザがＭＭを受信端末機３に転送するために、ＭＭＳＣ（Ｍｕｌｔｉｍｅｄｉａ  Ｍｅｓｓａｇｅ  Ｓｅｒｖｉｃｅ  Ｃｅｎｔｅｒ）２にマルチメディアメッセージ及び付加情報（発信端末機の電話番号、受信端末機の電話番号等）を含めて転送する。
【０００６】
該マルチメディアメッセージ及び付加情報を受信したＭＭＳＣ２は、当該情報を格納した後、このマルチメディアメッセージが到着した事実を知らせるために受信端末機３に短文メッセージ（Ｓｈｏｒｔ  Ｍｅｓｓａｇｅ）を送信する。短文メッセージを受信した受信端末機３は、これをユーザに知らせる。これを認知した受信端末機３のユーザは、ＭＭＳＣ２に接続して到着したマルチメディアメッセージを確認する。受信端末機３によるマルチメディアメッセージ確認が行われると、ＭＭＳＣ２は、その事実を短文メッセージを用いて発信端末機１に知らせる。
【０００７】
図２は、従来技術に係る移動通信端末機のマルチメディアメッセージ転送確認画面を示す例示図である。すなわち、従来技術に係る移動通信端末機は、マルチメディアメッセージを送信した場合、送信したメッセージに対する転送状態メッセージをＭＭＳサーバーに要請し、要請によりＭＭＳサーバーから受信した転送状態メッセージを移動通信端末機のディスプレイパネルに出力する。
【発明の開示】
【発明が解決しようとする課題】
【０００８】
しかしながら、従来技術に係る移動通信端末機は、マルチメディアメッセージを転送する場合、図２に示すように、単純なメッセージ転送状態及び受信端末機の電話番号のみを表示する。したがって、特定端末機に複数のマルチメディアメッセージを連続して転送する場合には、ディスプレイパネル上に出力された転送確認メッセージが以前に発信された複数メッセージのいずれのメッセージに対する転送確認データなのか分からない。
【０００９】
したがって、既に発信した複数のメッセージの中で転送に失敗したメッセージまたは受信端末機のユーザが認識できなかったメッセージなどに限って再転送をしようとする場合、再転送するメッセージの区別ができないという問題が起こる。
【００１０】
本発明は上記問題点を解決するためのもので、その目的は、一つの端末機から複数のマルチメディアメッセージを連続して発信する場合、これによる転送状態データを読み出して該当する発信メッセージを検索し、検索された発信メッセージの発信時刻または題目を出力することによって、発信された複数のメッセージの中で受信完了したメッセージをユーザが認識できるようにする移動通信端末機のＭＭＳ動作方法を提供することにある。
【課題を解決するための手段】
【００１１】
上記課題を解決するために、本発明に係る移動通信端末機は、複数のマルチメディアメッセージ転送情報が格納されたメモリと、マルチメディアメッセージサービスサーバーから提供されるマルチメディアメッセージ転送結果情報を受信して、これを、前記メモリに格納されたマルチメディアメッセージ転送情報と比較し、その結果による制御信号を出力する制御部と、前記制御部から提供された制御信号によって、マルチメディアメッセージ転送結果情報をユーザが認識できるように表示する出力部と、を備えてなることを特徴とする。
【００１２】
ここで、前記出力部は、前記マルチメディアメッセージ転送結果情報をユーザが肉眼で確認できるように、文字及び／またはイメージの形態で表示するディスプレイ部であっても良く、前記マルチメディアメッセージ転送結果情報を可聴音で表示するオーディオ出力部であっても良い。
【００１３】
本発明に係るマルチメディアメッセージサービスネットワークは、移動通信網を通じてマルチメディアメッセージを送信し、複数のマルチメディアメッセージ転送情報を格納する移動通信端末機と、該移動通信端末機から転送されたマルチメディアメッセージが効率的に伝達されるようにする無線アプリケーションプロトコルゲートウエイ（Ｗｉｒｅｌｅｓｓ  Ａｐｐｌｉｃａｔｉｏｎ  Ｐｒｏｔｏｃｏｌ  Ｇａｔｅｗａｙ）と、前記マルチメディアメッセージが各移動通信端末機間で送受信されるように処理するマルチメディアメッセージサービスセンター（Ｍｕｌｔｉｍｅｄｉａ  Ｍｅｓｓａｇｅ  Ｓｅｒｖｉｃｅ  Ｃｅｎｔｅｒ：ＭＭＳＣ）と、を備えてなるマルチメディアメッセージサービスネットワークであって、前記移動通信端末機が前記マルチメディアメッセージサービスセンターから受信した転送確認メッセージに含まれた転送メッセージＩＤを、端末機自体に格納されている転送情報と比較して、一致するメッセージＩＤのマルチメディアメッセージ転送結果情報をユーザが認識できるように表示することを特徴とする。
【００１４】
本発明に係るマルチメディアメッセージサービスネットワークは、短文メッセージピアツーピア（Ｓｈｏｒｔ  Ｍｅｓｓａｇｅ  Ｐｅｅｒ  ｔｏ  Ｐｅｅｒ）プロトコルを通じて短文メッセージサービス（Ｓｈｏｒｔ  Ｍｅｓｓａｇｅ  Ｓｅｒｖｉｃｅ）とマルチメディアメッセージサービス（Ｍｕｌｔｉｍｅｄｉａ  Ｍｅｓｓａｇｅ  Ｓｅｒｖｉｃｅ）を互換連動させ、マルチメディアメッセージサービス過程で発生する種々の情報を前記移動通信端末機に伝達する短文メッセージサービスセンター（Ｓｈｏｒｔ  Ｍｅｓｓａｇｅ  Ｓｅｒｖｉｃｅ  Ｃｅｎｔｅｒ：ＳＭＳＣ）と、前記マルチメディアメッセージサービスセンターで処理されたマルチメディアメッセージを電子メール（Ｅ−ｍａｉｌ）の形態で移動通信端末機に提供するメールサーバー（Ｍａｉｌ  Ｓｅｒｖｅｒ）と、をさらに備えることを特徴とする。
【００１５】
本発明に係る移動通信端末機のマルチメディアメッセージ処理方法は、移動通信網を通じてマルチメディアメッセージを転送する過程と、転送されたマルチメディアメッセージのＩＤが含まれた転送情報を端末機内部に設けられたメモリに格納する過程と、マルチメディアメッセージ転送確認メッセージを受信する過程と、受信されたマルチメディアメッセージ転送確認メッセージに含まれた転送情報と前記メモリに格納された情報とを比較する過程と、比較結果を出力する過程と、を備えてなることを特徴とする。
【００１６】
前記比較過程は、前記転送確認メッセージ内に含まれた発信メッセージのメッセージＩＤを読み出し、該読み出されたメッセージＩＤと一致するメッセージを、前記発信端末機に格納された複数の発信メッセージから検索することを特徴とする。
【００１７】
前記比較結果を出力する過程において、一致するメッセージＩＤがある場合、発信者が肉眼で確認できるように発信メッセージの発信時刻及びメッセージの題目を含めてディスプレイ表示することを特徴とする。
【００１８】
また、前記比較結果を出力する過程において、一致するメッセージＩＤがある場合、発信メッセージの発信時刻及びメッセージの題目を可聴音として出力することを特徴とする。  
【００１９】
上記目的を達成するために、本発明は、例えば、以下の手段を提供する：
項目１．
複数のマルチメディアメッセージ転送情報が格納されたメモリと、
マルチメディアメッセージサービスサーバーから提供されるマルチメディアメッセージ転送結果情報を受信し、これを、前記メモリに格納されたマルチメディアメッセージ転送情報と比較し、その結果による制御信号を出力する制御部と、
前記制御部から提供された制御信号によって、マルチメディアメッセージ転送結果情報をユーザが認識できるように表示する出力部と、
を備えてなる移動通信端末機。
【００２０】
項目２．
前記出力部は、前記マルチメディアメッセージ転送結果情報をユーザが肉眼で確認できるように、文字及び／またはイメージの形態で表示するディスプレイ部であることを特徴とする項目１に記載の移動通信端末機。
【００２１】
項目３．
前記ディスプレイ部を介して表示される情報は、発信メッセージの発信時刻及びメッセージの題目を含むことを特徴とする項目２に記載の移動通信端末機。
【００２２】
項目４．
前記出力部は、前記マルチメディアメッセージ転送結果情報を可聴音で表示するオーディオ出力部であることを特徴とする項目１に記載の移動通信端末機。
【００２３】
項目５．
移動通信網を通じてマルチメディアメッセージを送信し、複数のマルチメディアメッセージ転送情報を格納する移動通信端末機と、該移動通信端末機から転送されたマルチメディアメッセージが効率的に伝達されるようにする無線アプリケーションプロトコルゲートウエイ（Ｗｉｒｅｌｅｓｓ  Ａｐｐｌｉｃａｔｉｏｎ  Ｐｒｏｔｏｃｏｌ  Ｇａｔｅｗａｙ）と、前記マルチメディアメッセージが各移動通信端末機間で送受信されるように処理するマルチメディアメッセージサービスセンター（Ｍｕｌｔｉｍｅｄｉａ  Ｍｅｓｓａｇｅ  Ｓｅｒｖｉｃｅ  Ｃｅｎｔｅｒ：ＭＭＳＣ）と、を備えてなるマルチメディアメッセージサービスネットワークにおいて、
前記移動通信端末機が前記マルチメディアメッセージサービスセンターから受信した転送確認メッセージに含まれた転送メッセージＩＤを、該端末機内に格納されている転送情報と比較して、一致するメッセージＩＤのマルチメディアメッセージ転送結果情報をユーザが認識できるように表示することを特徴とするマルチメディアメッセージサービスネットワーク。
【００２４】
項目６．
短文メッセージピアツーピア（Ｓｈｏｒｔ  Ｍｅｓｓａｇｅ  Ｐｅｅｒ  ｔｏ  Ｐｅｅｒ）プロトコルを通じて短文メッセージサービス（Ｓｈｏｒｔ  Ｍｅｓｓａｇｅ  Ｓｅｒｖｉｃｅ）とマルチメディアメッセージサービス（Ｍｕｌｔｉｍｅｄｉａ  Ｍｅｓｓａｇｅ  Ｓｅｒｖｉｃｅ）を互換連動させ、マルチメディアメッセージサービス過程で発生する種々の情報を前記移動通信端末機に伝達する短文メッセージサービスセンター（Ｓｈｏｒｔ  Ｍｅｓｓａｇｅ  Ｓｅｒｖｉｃｅ  Ｃｅｎｔｅｒ：ＳＭＳＣ）と、
前記マルチメディアメッセージサービスセンターで処理されたマルチメディアメッセージを電子メール（Ｅ−ｍａｉｌ）の形態で移動通信端末機に提供するメールサーバー（Ｍａｉｌ  Ｓｅｒｖｅｒ）と、
をさらに備えることを特徴とする項目５に記載のマルチメディアメッセージサービスネットワーク。
【００２５】
項目７．
マルチメディアメッセージの発信後、マルチメディアメッセージサービスサーバーから転送確認メッセージを受信し、各発信メッセージの転送状態情報を各マルチメディアメッセージごとにユーザに提供することを特徴とする移動通信端末機のマルチメディアメッセージ処理方法。
【００２６】
項目８．
前記発信メッセージ転送状態情報は、ディスプレイ装置により提供されることを特徴とする項目７に記載の移動通信端末機のマルチメディアメッセージ処理方法。
【００２７】
項目９．
前記発信メッセージ転送状態情報は、オーディオ出力部により提供されることを特徴とする項目７に記載の移動通信端末機のマルチメディアメッセージ処理方法。
【００２８】
項目１０．
移動通信網を通じてマルチメディアメッセージを転送する過程と、
転送されたマルチメディアメッセージのＩＤが含まれた転送情報を端末機内部に設けられたメモリに格納する過程と、
マルチメディアメッセージ転送確認メッセージを受信する過程と、
受信されたマルチメディアメッセージ転送確認メッセージに含まれた転送情報と前記メモリに格納された情報とを比較する過程と、
比較結果を出力する過程と、
を備えてなる移動通信端末機のマルチメディアメッセージ処理方法。
【００２９】
項目１１．
前記比較過程は、前記転送確認メッセージ内に含まれた発信メッセージのメッセージＩＤを読み出し、該読み出されたメッセージＩＤと一致するメッセージを、前記発信端末機に格納された複数の発信メッセージから検索することを特徴とする項目１０に記載の移動通信端末機のマルチメディアメッセージ処理方法。
【００３０】
項目１２．
前記比較結果を出力する過程は、一致するメッセージＩＤがある場合、発信者が肉眼で確認できるように発信メッセージの発信時刻及びメッセージの題目を含めてディスプレイ表示することを特徴とする項目１１に記載の移動通信端末機のマルチメディアメッセージ処理方法。
【００３１】
項目１３．
前記比較結果を出力する過程は、発信者が認識できるようにマルチメディアメッセージ転送結果情報を可聴音として出力することを特徴とする項目１０に記載の移動通信端末機のマルチメディアメッセージ処理方法。
【００３２】
項目１４．
前記比較結果を出力する過程は、一致するメッセージＩＤがある場合、発信メッセージの発信時刻及びメッセージの題目を可聴音として出力することを特徴とする項目１３に記載の移動通信端末機のマルチメディアメッセージ処理方法。  
【００３３】
複数のマルチメディアメッセージ（ＭＭ；Ｍｕｌｔｉｍｅｄｉａ  Ｍｅｓｓａｇｅ）を作成し、これらを移動通信網を通じて該当の端末機に転送する第１段階と、転送が完了すると、発信メッセージに対応する転送確認データが発信端末機に受信され、発信された複数のメッセージの中から、受信された転送確認データにより受信が確認された発信マルチメディアメッセージを検索する第２段階と、検索された発信メッセージの発信時刻または題目を外部に出力する第３段階と、を備えてなり、一つの端末機で複数のマルチメディアメッセージを転送する際にもユーザが各発信メッセージの転送状態をそれぞれ確認することができ、特に、発信された一部のメッセージが転送未確認とされた場合には、それに該当する特定のメッセージのみを選別して再転送できるので、使い勝手のよさを向上させることができる。
【発明の効果】
【００３４】
本発明による移動通信端末機のＭＭＳ動作方法は、マルチメディアメッセージの発信時に、受信される配信確認データを読み出して該当する発信メッセージの題目と発信時刻を外部に出力するために、一つの端末機で複数のマルチメディアメッセージを転送する際にユーザが各発信メッセージの転送状態を個別に確認することができ、使い勝手のよさを大きく向上させることが可能になる。
【００３５】
特に、発信された一部のメッセージが転送未確認の場合には、これに該当する特定のメッセージのみを選別して再転送できるため、製品に対するユーザの信頼性を向上させることが可能になる。
【発明を実施するための最良の形態】
【００３６】
以下、添付の図面を参照しつつ、本発明に係る移動通信端末機及びこれを用いたマルチメディアメッセージ処理方法の好適な実施形態について説明する。
【００３７】
図３は、本発明によるマルチメディアメッセージサービスネットワークの構成を概略的に示す構成図である。本発明によるマルチメディアメッセージサービスネットワークは、基本的に、移動通信網２００を通じてマルチメディアメッセージ（Ｍｕｌｔｉｍｅｄｉａ  Ｍｅｓｓａｇｅ：ＭＭ）が送受信される移動通信端末機１００，３００と、各移動通信端末機１００，３００から転送されたＭＭが効率的に伝達されるようにするＷＡＰ（Ｗｉｒｅｌｅｓｓ  Ａｐｐｌｉｃａｔｉｏｎ  Ｐｒｏｔｏｃｏｌ）ゲートウエイ２１０と、ＭＭを処理して各移動通信端末機間で送受信されるようにするＭＭＳＣ（Ｍｕｌｔｉｍｅｄｉａ  Ｍｅｓｓａｇｅ  Ｓｅｒｖｉｃｅ  Ｃｅｎｔｅｒ）２３０と、を備えてなる。
【００３８】
ここで、移動通信網２００は、各領域内における少なくとも一つ以上の無線通信ネットワークである。このネットワーク及び／または移動通信端末機は、ＧＳＭ標準、ＧＰＲＳ標準、ＥＤＧＥ標準、ＵＭＴＳ標準または多様なＣＤＭＡ標準のうちの一つと同様に、移動通信標準の一つによって定義されることによって具現される。
【００３９】
移動通信端末機１００，３００は、移動通信モジュールを持つ遠隔通信装置であり、例えば、携帯電話や、有線ネットワーク接続または赤外線、ブルートゥースなどの無線ローカルネットワークによって携帯電話に接続される無線遠隔通信モジュールを含む個人コンピュータ、ラップトップ、ファームトップ、ＰＤＡ等が用いられることがある。
【００４０】
ＷＡＰゲートウエイ２１０は、無線インターネットプロトコルであるＷＡＰを基盤として無線ネットワークと有線ネットワーク間で緩衝の役割を果たすシステムである。すなわち、伝達されるマルチメディアメッセージをそれぞれの有無線環境に合わせてエンコーディングまたはデコーディングし、それぞれの移動通信端末機間に該ＭＭが効率よく伝達されるようにする役割を担う。
【００４１】
ＭＭＳＣ２３０は、それぞれの移動通信端末機の間で文字、オーディオ、イメージまたはビデオなどを含むＭＭを処理する。すなわち、ＭＭＳを支援する各移動通信システム間のメッセージ伝達、有無線環境でのメディア変換、ＳＭＳを通じたメッセージ通報、ＭＭ管理などの機能を果たしている。特に、ＭＭＳＣ２３０を通じて処理されるＭＭに対するメッセージ状態点検機能などを遂行する。
【００４２】
該ＭＭＳＣの機能についてより詳しく説明すると、次の通りである。
【００４３】
ＭＭＳＣ２３０は、ＳＭＴＰ（Ｓｉｍｐｌｅ  Ｍａｉｌ  Ｔｒａｎｓｆｅｒ  Ｐｒｏｔｏｃｏｌ）、ＭＩＵＡ（Ｍｕｌｔｉｐｕｒｐｏｓｅ  Ｉｎｔｅｒｎｅｔ  Ｍａｉｌ  Ｅｘｔｅｎｓｉｏｎｓ）、ＩＭＡＰ（Ｉｎｔｅｒｎｅｔ  Ｍａｉｌ  Ａｃｃｅｓｓ  Ｐｒｏｔｏｃｏｌ）、ＳＭＰＰ（Ｓｈｏｒｔ  Ｍｅｓｓａｇｅ  Ｐｅｅｒ  ｔｏ  Ｐｅｅｒ）、ＷＡＰ（Ｗｉｒｅｌｅｓｓ  Ａｐｐｌｉｃａｔｉｏｎ  Ｐｒｏｔｏｃｏｌ）、ＨＴＴＰ（ＨｙｐｅｒＴｅｘｔ  Ｔｒａｎｓｆｅｒ  Ｐｒｏｔｏｃｏｌ）などのような複数のプロトコルを通じて移動通信端末機間でＭＭを伝達する。
【００４４】
このようにＭＭを伝達する際には、所定の端末機から受信したＭＭを臨時的に格納した後に該当の端末機に伝達する非実時間（Ｎｏｎ  ｒｅａｌ−ｔｉｍｅ）マルチメディアメッセージサービスを支援する。また、ＳＭＳを通じて新規メッセージの到着またはメッセージ伝達状況、受信者メッセージ検索、メッセージ伝達エラー発生などのメッセージを各移動通信端末機に通報する。
【００４５】
また、ＪＰＥＧ（Ｊｏｉｎｔ  Ｐｈｏｔｏｇｒａｐｈｉｃ  Ｅｘｐｅｒｔ  Ｇｒｏｕｐ）、ＧＩＦ（Ｇｒａｐｈｉｃｓ  Ｉｎｔｅｒｃｈａｎｇｅ  Ｆｏｒｍａｔ）、ＰＮＧ（Ｐｏｒｔａｂｌｅ  Ｎｅｔｗｏｒｋ  Ｇｒａｐｈｉｃｓ）、ＢＭＰ（Ｂｉｔ  ＭａＰ）、ＷＢＭＰ（Ｗｉｒｅｌｅｓｓ  ＢＭＰ）などのイメージ形式、ＷＡＶ、ＭＰ３（ＭＰＥＧ  ｌａｙｅｒ  ３）、ＭＩＤＩ（Ｍｕｓｉｃａｌ  Ｉｎｓｔｒｕｍｅｎｔ  Ｄｉｇｉｔａｌ  Ｉｎｔｅｒｆａｃｅ）などのオーディオ形式、及びＡＶＩ（Ａｕｄｉｏ  Ｖｉｄｅｏ  Ｉｎｔｅｒｌｅａｖｉｎｇ）、ＭＰＥＧ（Ｍｏｖｉｎｇ  Ｐｉｃｔｕｒｅ  Ｅｘｐｅｒｔｓ  Ｇｒｏｕｐ）、ＡＳＦ（Ａｄｖａｎｃｅｄ  Ｓｔｒｅａｍ  Ｆｏｒｍａｔ）、ＷＭＶ（Ｗｉｎｄｏｗｓ（登録商標）  Ｍｅｄｉａ  Ｖｉｄｅｏ）などのビデオ形式を、各無線環境に最適化するように変換して移動通信網を通じて送出できるようにする。
【００４６】
伝達されるＭＭの優先順位と有効期間などを設定し、効率的なメッセージ伝達のために予約転送や添付転送などのようなメッセージ伝達方法を提供する。また、処理されるメッセージを分離したり、特定メッセージを拒否できるメッセージフィルタリング機能などの管理機能を提供する。
【００４７】
一方、本発明によるマルチメディアメッセージネットワークは、ＳＭＳＣ（Ｓｈｏｒｔ  Ｍｅｓｓａｇｅ  Ｓｅｒｖｉｃｅ  Ｃｅｎｔｅｒ）２２０及びメールサーバー２４０をさらに備えてなる。ＳＭＳＣ２２０は、ＳＭＰＰ（Ｓｈｏｒｔ  Ｍｅｓｓａｇｅ  Ｐｅｅｒ  ｔｏ  Ｐｅｅｒ）プロトコルを通じてＳＭＳとＭＭＳを互換連動させ、ＭＭＳ過程で発生する各種情報を各移動通信端末機１００，３００に通知する役割を担う。メールサーバー２４０は、ＳＭＳＣ２２０と略同様に、ＭＭＳＣ２３０で処理されたＭＭを電子メールの形態で移動通信端末機１００，３００に提供する。特に、有線環境のＭＭＳクライアントと無線環境のＭＭＳ端末機間でマルチメディアメッセージの処理を提供し、ＭＭＳサービス過程で発生する種々の情報をＭＭＳクライアントに通知する役割などを担う。
【００４８】
図４は、本発明による移動通信端末機の内部構成を概略的に示すブロック図である。本発明の移動通信端末機は、複数のマルチメディアメッセージ転送情報が格納されたメモリ１３０と、ＭＭＳサーバーから提供されるマルチメディアメッセージ転送結果情報を無線送受信部１１０から受信し、メモリ１３０に格納されたマルチメディアメッセージ転送情報と比較し、その結果による制御信号を出力する制御部１２０と、制御部１２０から提供された制御信号によって、マルチメディアメッセージ転送結果情報をユーザが認識できるようにオーディオ出力するスピーカー１５０及び画像として出力するディスプレイ部（ＬＣＤ）１４０と、を備えてなる。
【００４９】
図５は、本発明によるマルチメディアメッセージ処理方法を示す信号フローチャートである。
【００５０】
ＷＡＰを通じてＭＭＳのマルチメディアメッセージを転送する場合、ＭＭＳネットワーク上では該マルチメディアメッセージの転送状態に対する種々のメッセージが送受信される。該マルチメディアメッセージは、基本的に、一つのヘッダ及び選択的にマルチメディアオブジェクトを含む一つの本体とからなる。
【００５１】
発信端末機（Ｕｓｅｒ  Ａｇｅｎｔ；移動通信端末機）は、メッセージ転送要求メッセージ‘Ｍ−Ｓｅｎｄ．ｒｅｑ’にマルチメディアメッセージ（ＭＭ）を含めて発信マルチメディアメッセージサービスサーバー（発信ＭＭＳＣ）に転送する。
【００５２】
この発信マルチメディアメッセージサービスサーバーは、転送要求メッセージ受信確認メッセージ‘Ｍ−Ｓｅｎｄ．ｃｏｎｆ’にメッセージＩＤを含めて発信端末機に転送する。このときに、端末機内の制御部は‘Ｍ−Ｓｅｎｄ．ｃｏｎｆ’に含まれたメッセージＩＤをメモリに格納する。
【００５３】
また、発信ＭＭＳＣは、転送しようとする受信端末機を管理する受信マルチメディアメッセージサービスサーバー（受信ＭＭＳＣ）に‘Ｍ−ｆｏｒｗａｒｄ．ｒｅｑ’を転送する。
【００５４】
この受信マルチメディアメッセージサービスサーバーは、受信された‘Ｍ−ｆｏｒｗａｒｄ．ｒｅｑ’に対する応答メッセージ‘Ｍ−ｆｏｒｗａｒｄ．ｒｅｓ’を発信マルチメディアメッセージサービスサーバーに転送する。
【００５５】
その後、受信マルチメディアメッセージサービスサーバーは、受信通知メッセージ‘Ｍ−Ｎｏｔｉｆｉｃａｔｉｏｎ．ｉｎｄ’を該当の受信端末機に転送する。これにより、受信端末機は、転送されるＭＭを受信マルチメディアメッセージサービスサーバーからダウンロードする準備ができたことを認知する。
【００５６】
また、この受信端末機は、受信した‘Ｍ−Ｎｏｔｏｆｉｃａｔｉｏｎ．ｉｎｄ’に応答して‘Ｍ−ＮｏｔｉｆｙＲｅｓ．ｉｎｄ’を受信マルチメディアメッセージサービスサーバーに転送する。
【００５７】
この受信端末機が要求メッセージ‘ＷＳＰＧＥＴ．ｒｅｑ’を持つ場合、該受信端末機は‘Ｍ−Ｒｅｔｒｉｅｖｅ．ｒｅｑ’を当該受信マルチメディアメッセージサービスサーバーに転送する。
【００５８】
この受信マルチメディアメッセージサービスサーバーは、これに対応する‘Ｍ−Ｒｅｔｒｉｅｖｅ．ｃｏｎｆ’と共に転送しようとするマルチメディアメッセージを受信端末機に伝達する。
【００５９】
すると、受信端末機は、これに対する応答メッセージ‘Ｍ−Ａｃｋｎｏｗｌｅｄｇｅｍｅｎｔ．ｉｎｄ’を受信マルチメディアメッセージサービスサーバーに転送する。
【００６０】
その後、発信端末機が希望する場合、受信マルチメディアメッセージサービスサーバーは、マルチメディアメッセージの配信結果（ｄｅｌｉｖｅｒｙ  ｒｅｐｏｒｔ）を表示する‘Ｍ−Ｄｅｌｉｖｅｒｙ．ｒｅｐ’を発信マルチメディアメッセージサービスサーバーに転送する。
【００６１】
すると、発信マルチメディアメッセージサービスサーバーは、‘Ｍ−Ｄｅｌｉｖｅｒｙ．ｒｅｐ’に対応する‘Ｍ−Ｄｅｌｉｖｅｒｙ．ｉｎｄ’を発信端末機に転送する。この‘Ｍ−Ｄｅｌｉｖｅｒｙ．ｉｎｄ’パケットメッセージには、元の発信マルチメディアメッセージに対するメッセージＩＤが含まれる。
【００６２】
これにより、発信端末機は、転送報告メッセージ‘Ｍ−Ｄｅｌｉｖｅｒｙ．ｉｎｄ’に含まれたメッセージＩＤとメモリに格納されたメッセージＩＤとを比較することで、転送したマルチメディアメッセージの配信結果を確認することができる。
【００６３】
図６は、本発明によるマルチメディアメッセージ処理方法を示すフローチャートである。図７は、本発明による移動通信端末機のメッセージ転送確認画面の一例を示す図である。
【００６４】
特定端末機に転送しようとする複数のマルチメディアメッセージを作成し、これらを移動通信網を通じて順に発信する。このときに、作成されたメッセージは一定時間または選択によって発信端末機内にデータの形態で格納される（Ｓ１）。
【００６５】
発信されたメッセージが発信ＭＭＳサーバーに受信されると、前記で説明したように発信確認メッセージ‘Ｍ−Ｓｅｎｄ．ｃｏｎｆ’が発信端末機に送られる。
【００６６】
また、複数のマルチメディアメッセージの転送が完了すると、前述した複数の状態メッセージの送受信によって、最終的には発信メッセージに対応する転送確認メッセージ‘Ｍ−Ｄｅｌｉｖｅｒｙ．ｉｎｄ’がそれぞれ発信端末機に受信される（Ｓ２）。
【００６７】
ここで、‘Ｍ−Ｄｅｌｉｖｅｒｙ．ｉｎｄ’メッセージには、マルチメディアメッセージの伝達状態通知または転送状態データが含まれる。このメッセージは、ヘッダと、複数のデータフィールドとを含んでなり、このヘッダは、マルチメディアメッセージが発信ＭＭＳサーバーから発信端末機に転送されたことを表し、各データフィールドごとに、転送されたメッセージの形態、発信端末機の表示、ＷＡＰが使用されたバージョンなどの詳細データが格納される。
【００６８】
特に、‘Ｍ−Ｄｅｌｉｖｅｒｙ．ｉｎｄ’メッセージ内には、‘Ｘ−ＭＭＳ−Ｍｅｓｓａｇｅ−ＩＤ’と指定されたデータフィールドが含まれ、該メッセージが参照する、発信されたマルチメディアメッセージの内部番号（メッセージＩＤ）が格納され、‘ＴＯ’、‘Ｄａｔｅ’と指定されたデータフィールドは、受信者とマルチメディアメッセージが処理された、例えば受信端末機への転送日時、拒絶日時または転送有効期間の終了日時などのデータを含む。
【００６９】
したがって、‘Ｍ−Ｄｅｌｉｖｅｒｙ．ｉｎｄ’メッセージが受信されると、発信端末機は、該メッセージからデータを読み出して、発信されたマルチメディアメッセージのメッセージＩＤデータを抽出し、該端末機自体に格納されている複数のマルチメディアメッセージの中で抽出されたメッセージＩＤと一致するマルチメディアメッセージを検索する（Ｓ３、Ｓ４）。
【００７０】
検索結果、メッセージＩＤと一致するマルチメディアメッセージがあると、そのメッセージの題目データを抽出し、抽出された題目データ及び‘Ｍ−Ｄｅｌｉｖｅｒｙ．ｉｎｄ’メッセージ内に格納された発信メッセージの発信時刻及び／または受信端末機の拒絶日時または転送有効期間データを読み出す（Ｓ５）。
【００７１】
続いて、図７に示すように、当該発信メッセージが受信端末機に正常に転送されたことを外部に知らせる転送確認メッセージを、抽出された題目データ及び読み出した時間データを含めて生成し、生成された転送確認メッセージを外部に出力する（Ｓ６、Ｓ７）。
【００７２】
このときに、転送確認メッセージは、これを知らせる所定の警告音または振動を介してユーザが認識できるように表示したり、ユーザの設定によって各データに対応する音声信号として出力しても良い。
【００７３】
以上、本発明による移動通信端末機のＭＭＳ動作方法を、例示された図面に基づいて説明してきたが、本明細書に開示された実施形態と図面により限定されず、マルチメディアメッセージの発信時に受信される配信確認データを読み出して発信メッセージの題目と発信時刻を外部に出力することによって各発信メッセージに対する正確な転送状態データをユーザに提供できるようにする本発明の技術思想は、特許請求の範囲により定められる範囲内で当業者によって容易に応用することが可能である。  
【００７４】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００７５】
【図１】従来の技術に係るマルチメディアメッセージサービス概念を示す例示図である。
【図２】従来の技術に係る移動通信端末機のマルチメディアメッセージ転送確認画面の一例を示す図である。
【図３】本発明によるマルチメディアメッセージサービスネットワークの構成を概略的に示す構成図である。
【図４】本発明による移動通信端末機の内部構成を概略的に示すブロック図である。
【図５】本発明によるマルチメディアメッセージ処理方法を示す信号フローチャートである。
【図６】本発明によるマルチメディアメッセージ処理方法を示すフローチャートである。
【図７】本発明による移動通信端末機のメッセージ転送確認画面の一例を示す図である。
【図１】
2006191609.tif 000003
【図２】
2006191609.tif 000004
【図３】
2006191609.tif 000005
【図４】
2006191609.tif 000006
【図５】
2006191609.tif 000007
【図６】
2006191609.tif 000008
【図７】
2006191609.tif 000009